(57)【特許請求の範囲】
【請求項１】
小屋組みを構成する複数の屋根骨組みの両端部を外壁枠組の上枠又は上枠補強部材の上面に所定の間隔で接合金物を介して接合し、隣接する前記屋根骨組みの間に接合金物を介してころび止めを取付けてなり、
該ころび止めを、前記外壁枠組の屋内面に沿わせると共に、その下面を前記屋根骨組みの下面とほぼ同一平面上に位置させたことを特徴とする小屋組みの取付構造。
【請求項２】
小屋組みを構成する複数の屋根骨組みトラスの両端部と外壁枠組との接合部において、
前記屋根骨組みトラスを前記外壁枠組の上枠又は上枠補強部材の上面に所定の間隔で接合部材を介して接合し、隣接する前記屋根骨組みトラスの下弦材の間に接合金物を介して、かつ前記外壁枠組の屋内面に沿ってころび止めを取付けたことを特徴とする小屋組みの取付構造。
【発明の詳細な説明】
【０００１】
【発明の属する技術分野】
本発明は、建築物における小屋組みの取付構造に係り、特に、極薄鋼板製軽量形鋼を用いた建築物の屋根骨組みと壁との接合に実施して有効な小屋組みの取付構造に関するものである。
【０００２】
【従来の技術】
ＫＣ型スチールハウス  タイプＡ（平成９年９月２９日  建設省  東住生発第５０号）に示された小屋組みの取付構造は、図１０に示すように、縦枠２１と、その上端部に取付けられた木造ツーバイフォー住宅に供される２０４材からなる頭つなぎ２２、又はウェブ高さ：９１mm、フランジ幅：４０mm、板厚：１．２mmの軽溝形鋼（以下、Ｕ−９１×４０×１．２と記す）からなる上枠２３とによって壁を構成し、この頭つなぎ２２又は上枠２３上において、隣接する屋根骨組みトラス２５（以下、単にトラスという）の間に、軽溝形鋼（Ｕ−９２×４０×１．２）からなるころび止め２４を設置したものである。
【０００３】
このころび止め２４は、ウェブを壁の外面に合わせて設置され、その下部フランジがドリリングタッピねじ（以下、ビスという）により、頭つなぎ２２又は上枠２３に接合される。そして、ころび止め２４の両端部は、板幅：８０mm×８０mm、長さ：８６mm、板厚：１．６mmのアングル金物２９（以下、Ｌ−８０×８０×８６×１．６と記す）を介してビスによりトラス２５の上弦材２６に接合され、さらに、あおり止め金物３０を介して壁下地材３１から縦枠２１に固定される。なお、２７はトラス２５の下弦材、２８は上弦材２６と下弦材２７を結合するガセットプレートである。
【０００４】
図１１は図１０に示す従来例に天井面材３３を取付けた状態を示すもので、上枠２３（又は頭つなぎ２２）のウェブの屋内側には、軽溝形鋼（Ｕ−９２×４０×１．２）からなる天井面材受け材３２のウェブの高さ方向のほぼ２分の１がビス止めされており、屋内側に張り出したウェブの下面に、天井面材３３を下面からビスを打設して接合したものである。
【０００５】
【発明が解決しようとする課題】
上記のような小屋組みの取付構造においては、施工上次のような多くの問題がある。
（１）ころび止め２４と上枠２３（又は頭つなぎ２２）との接合は、ころび止め２４側からビスを打つのが原則であるが、図１２（ａ）に示すように、電動工具３５がころび止め２４の上フランジと干渉して、ビス３４を垂直に打つことができない。
【０００６】
（２）このため、図１２（ｂ）に示すよう、ころび止め２４のリップの間から電動工具３５を斜めに差込んでビス３４を斜めに打とうとしても、ビス３４の先端が滑ってしまい、接合がきわめて困難である。
（３）また、図１２（ｃ）に示すように、上枠２３側からビス３４を打とうとしても、上向きの作業になるため施工が面倒で手間がかかる。この場合、図１２（ｄ）に示すように、上枠２３ところび止め２４との間に木製の頭つなぎ２２が存在する場合は、さらにビス打ちに多くの手間と時間がかかる。
【０００７】
（４）また、図１３（ａ）に示すように、壁に窓などの開口部がある場合は、まぐさ３６が障害となってビス３４を打つことができない。
（５）このような問題を解決するために、図１３（ｂ）に示すように壁の骨組みにあらかじめころび止め２４を取付けようとすると、上枠２３ａの内側からビス３４を打つことになるが、開口部を補強するまぐさ３６を上枠２３ａにはめ込んで取付ける際に、ビス頭がまぐさ３６と干渉するため納まりがよくない。また、トラス２５を取付ける際に、現場でころび止め２４の位置に修正の必要が生じた場合、ころび止め２４を接合しているビス３４の頭部がまぐさ３６の内側にあるため、解体しない限り対応することができない。
【０００８】
（６）また、図１３（ｃ）に示すように、木製の頭つなぎに代えて軽溝形鋼とリップ溝形鋼を箱状に組合せて構成した上枠補強部材２２ａを上枠２３上に配置することも考えられるが、上枠２３及び上枠補強部材２２ａにあらかじめ大きな穴をあけなければならない、長いビス３４を使用しなければならない等のため、工数の増加、コストの上昇は避けられない。
【０００９】
（７）さらに、壁上にトラス２５を設置する場合は、クレーン等を用いて吊り込む場合が多いが、頭つなぎ２２又は上枠２３上には位置決めのための部材が設けられていないため、トラス２５の位置決め及び仮止めが困難であり、施工に多くの手間がかかるばかりでなく、精度の確保も困難である。
このため、あおり止め金物３０（図１０（ｃ））を壁の骨組みの所定の位置にあらかじめ取付けておくことも考えられるが、通常のあおり止め金物３０は、外壁下地材３１を張ったのち取付けるようになっているため施工上の制約があり、また、先付タイプの金物は、その形状から、開口部補強のためのまぐさが設けられている場合は、取付けることができない。
【００１０】
本発明は、上記の課題を解決するためになされたもので、外壁枠組への屋根骨組み及びころび止めの取付けが容易であり、その上ころび止めを天井面材の受け材として兼用するようにした小屋組の取付構造を得ることを目的としたものである。
【００１１】
【課題を解決するための手段】
本発明に係る小屋組みの取付構造は、小屋組みを構成する複数の屋根骨組みの両端部を外壁枠組の上枠又は上枠補強部材の上面に所定の間隔で接合金物を介して接合し、隣接する前記屋根骨組みの間に接合金物を介してころび止めを取付けてなり、該ころび止めを、前記外壁枠組の屋内面に沿わせると共に、その下面を前記屋根骨組みの下面とほぼ同一平面上に位置させたものである。
【００１２】
また、小屋組みを構成する複数の屋根骨組みトラスの両端部と外壁枠組との接合部において、前記屋根骨組みトラスを前記外壁枠組の上枠又は上枠補強部材の上面に所定の間隔で接合部材を介して接合し、隣接する前記屋根骨組みトラスの下弦材の間に接合金物を介して、かつ前記外壁枠組の屋内面に沿ってころび止めを取付けたものである。
【００１３】
【発明の実施の形態】
［実施形態１］
図１は一部を省略して示した本発明の実施形態１の斜視図、図２は図１の平面図、図３は同じく正面図、図４は同じく側面図である。
図において、１は外壁枠組みであり、２は外壁枠組１を構成する軽溝形鋼（例えば、Ｕ−９２×４０×１．２）からなる上枠、３はリップ溝形鋼（例えば、Ｃ−８９×４０×１２×１．２）からなる縦枠で、上枠２と、これと同じ構造の下枠（図示せず）をそれぞれウェブを外側にして対向配置し、両者の間に縦枠３をはめ込んでフランジどうしをビスにより接合する。そして、上枠２のウェブの桁行方向に所定の間隔（例えば、４５５mm）で、トラスを接合するためのＬ字状の接合金物４ａ（例えば、Ｌ−８９×８９×８９×１．２のアングル金物）をビスにより取付けて構成したものである。
【００１４】
５は屋根骨組みを構成するトラスで、上弦材６と下弦材７にそれぞれリップ溝形鋼（例えば、Ｃ−８９×４０×１２×１．２）を用い、図５に示すように、下弦材７の両端部の上下のフランジを切除して一対の上弦材６の下部をそれぞれ挿入し、両者のウェブを重ねてビスで接合する。一方、上弦材６の頂部は、一方の上弦材６のフランジを切除して両上弦材６のウェブを重ね合わせ、ビスで接合したものである。なお、これらの接合にあたっては、上弦材６及び下弦材７と同じ板厚か、又はそれ以上の板厚のガセットプレート（図示せず）を介してビスで接合してもよい。
【００１５】
また、トラス５の腹材（束材又はラチス材…図示せず）は、上下の弦材６，７の所定の位置にウェブ面と合わせて配置し、一体にビス止めされるが、上下の弦材６，７と同様にフランジを切欠いてウェブどうしを重ねて接合し、すべての部材のウェブ面の向きを揃えて接合してもよく、あるいは、カセットプレートを用いて取付けてもよい。なお、１０はリップ溝形鋼（例えば、Ｃ−８９×４０×１２×１．２）からなるころび止めである。
【００１６】
次に、上記のような部材からなる小屋組みの取付手順の一例について説明する。
先ず、上枠２のウェブに接合金物４ａが取付けられた外壁枠組１を、床上（平屋の場合は、床上又は土台上若しくは基礎上）に配置して固定する。なお、外壁枠組１を床上等に固定したのち上枠２のウェブに接合金物４ａを取付けてもよい。
【００１７】
次に、トラス１５を重機等により所定の位置に吊り込んで外壁枠組１の上枠２上に載置し、そのウェブを接合金物４ａに当接して位置決めしたのちバイスクリップで仮止めする。このようにして隣接するトラス等に順次仮止めしながらトラス５を上枠２上に配置する。すべてのトラス５の配置が終ったときは、全体の調整を行なったのち各トラス５を接合金物４ａにビスにより固定する。
本実施形態においては、上述のように、外壁枠組１の上枠２の上面に所定の間隔で接合金物４ａを取付けたので、トラスの位置決め及仮止めがきわめて容易で、トラス５の取付け作業性を向上することができる。
【００１８】
トラス５がそれぞれ上枠２上の接合金物４ａに接合されたときは、トラス５の下弦材７のウェブに、ころび止め１０を取付けるための接合金物４ａとほぼ同じ構造の接合金物４ｂの一方の辺を、その下端部を下弦材７の下面に合わせて当接し、接合金物４ｂ側からビスを打設して接合する。接合にあたっては、上枠２の屋内側フランジ面から約４０mm（これは、ころび止め１０のフランジ幅に対応する）屋内側の位置に接合金物４ｂの他方の辺を合わせる。
【００１９】
ついで、隣接するトラス５の間にウェブを屋内側にしてそれぞれころび止め１０を配設し、その下面を接合金物４ｂの他方の辺の下端に合わせて当接して、接合金物４ｂの屋内側からビスを打設して接合する。これにより、ころび止め１０は、外壁枠組１の屋内側に沿って、かつ、その下面をトラス５の下弦材７の下面とほぼ同一平面上に位置させることができる。
【００２０】
この場合、トラス５の下弦材７の開断面側に接合金物４ｂを取付けるにあたっては、その取付位置に図５（ａ）に示すような軽溝形鋼からなるかぶせ材８を嵌合し、そのフランジを下弦材７のフランジにビスで接合して箱形断面に形成し、このかぶせ材８のウェブに接合金物４ｂの一方の辺をビスで接合すればよい。
【００２１】
このように、本発明においては、トラス５の間にころび止め５をビス接合するにあたり、電動工具が他の部材と干渉することがないので、ころび止め１０の取付作業がきわめて容易になり、工数を低減することができる。
【００２２】
９はころび止め１０の下部フランジに取付けられた天井面材である。従来は、図１１で説明したように、上枠２上に天井面材受け材を取付け、屋内側に張出したウェブに天井面材を取付けていたが、本発明においては、ころび止め１０を外側枠組１の屋内側においてその下面をトラス５の下弦材７の下面とほぼ同一平面上に位置させ、トラス５の下弦材７の下面及びころび止め１０の下面に天井面材９を当接してビスにより取付けるようにしたので、天井面材受け材を省略することができる。
【００２３】
［実施形態２］
図６は本発明の実施形態２の斜視図、図７は図６の平面図、図８は同じく正面図、図９は同じく側面図である。なお、実施形態１と同じ部分にはこれと同じ符号を付し、説明を省略する。
本実施形態は、外壁枠組１の上枠２上に上枠補強部材１１（頭つなぎ）を配設したもので、この上枠補強部材１１は、例えば、リップ溝形鋼１２（例えば、Ｃ−８９×４０×１２×１．２）と、軽溝形鋼１３（例えば、Ｕ−９２×４０×１．２）とを組合わせて、箱形断面に形成したものである。
【００２４】
上枠２上への上枠補強部材１１の取付けにあたっては、先ず、上枠２上にリップ溝形鋼１２のウェブを当接して載置し、ウェブどうしをビスにより接合する。ついで、このリップ溝形鋼１２にその上方から軽溝形鋼１３を嵌合して両者のフランジどうしをビスで接合した箱形断面の上枠補強部材１１を構成する。そして、この上枠補強部材１１のウェブ上面に所定の間隔でＬ字状の接合金物４ａの一方の辺をビスにより取付けて外壁枠組１を構成する。
【００２５】
本実施形態においても、ころび止め１０は、実施形態１の場合と同様に、外壁枠組１の屋内側に沿って、かつ、その下面をトラス５の下弦材７の下面とほぼ同一平面上に位置させて取付ける。なお、接合金物４ａは外壁枠組１を床上等に固定してから取付けてもよく、また、上枠補強部材１１には、木造ツーバイフォー住宅に供される２０４材からなる頭つなぎを用いてもよい。
本実施形態における小屋組みの取付手順は、実施形態１の場合と同様なので、説明を省略する。
【００２６】
以上本発明の実施形態について説明したが、本発明の部材構成及び取付け手順はこれに限定するものではなく、ころび止めを外壁の屋内側に沿わせ、かつ、ころび止めの下面をトラスの下弦材の下面とほぼ同一平面に位置させるものであれば、他の部材により他の取付け手段によってもよい。また、屋根骨組みもトラス以外でもよい。
【００２７】
【発明の効果】
本発明に係る小屋組の取付構造は、小屋組みを構成する複数の屋根骨組みの両端部を外壁枠組の上枠又は上枠補強部材の上面に所定の間隔で接合金物を介して接合し、隣接する屋根骨組みの間に接合金物を介してころび止めを取付けてなり、このころび止めを、外壁枠組の屋内面に沿わせると共に、その下面を屋根骨組みの下面とほぼ同一平面上に位置させたので、屋根骨組み及びころび止めの取付け作業が容易になり、工数を低減することができる。また、ころび止めを天井面材の受け材に兼用できるので、従来必要とされていた天井面材受け材を省略することができる。
【００２８】
また、本発明に係る小屋組みの取付構造は、小屋組みを構成する複数の屋根骨組みトラスの両端部と外壁枠組との接合部において、屋根骨組みトラスを外壁枠組の上枠又は上枠補強部材の上面に所定の間隔で接合部材を介して接合し、隣接する屋根骨組みトラスの下弦材の間に接合金物を介して、かつ外壁枠組の屋内面に沿ってころび止めを取付けたので、上記とほぼ同様の効果を得ることができる。
【図面の簡単な説明】
【図１】一部を省略して示した本発明の実施形態１の斜視図である。
【図２】図１の平面図である。
【図３】図１の正面図である。
【図４】図１の側面図である。
【図５】図１のトラスの分解斜視図及び組立斜視図である。
【図６】一部を省略して示した本発明の実施形態２の斜視図である。
【図７】図１の平面図である。
【図８】図１の正面図である。
【図９】図１の側面図である。
【図１０】従来の小屋組みの取付構造の説明図である。
【図１１】図１０の小屋組みに天井面材を取付けた状態を示す斜視図である。
【図１２】図１０のころび止めを上枠又は頭つなぎにビス止めする状態を示す説明図である。
【図１３】図１０のころび止めを頭つなぎ又はまぐさを介してビス止めする状態を示す説明図である。
【符号の説明】
１  外壁枠組
２  上枠
３  縦枠
４ａ，４ｂ  接合金物
５  トラス
６  上弦材
７  下弦材
８  かぶせ材
９  天井面材
１０  ころび止め
１１  上枠補強部材
【図１】
0003858420.tif 000002
【図２】
0003858420.tif 000003
【図３】
0003858420.tif 000004
【図４】
0003858420.tif 000005
【図５】
0003858420.tif 000006
【図６】
0003858420.tif 000007
【図７】
0003858420.tif 000008
【図８】
0003858420.tif 000009
【図９】
0003858420.tif 000010
【図１０】
0003858420.tif 000011
【図１１】
0003858420.tif 000012
【図１２】
0003858420.tif 000013
【図１３】
0003858420.tif 000014